(57)【要約】本開示は、情報をリダイレクトするための方法、システム、および装置を提供する。種々のウェブサイトのＩＤ間の結合関係は、前もって記憶され得る。端末がウェブサイトにアクセスするときに、該端末によってアクセスされていたウェブサイトが、記憶された結合関係に関連するウェブサイトであった場合、端末によってアクセスされていたウェブサイトと結合された少なくとも１つの他のウェブサイトが、結合関係から選択され得る。端末は、選択されたウェブサイト（複数可）に対応するメッセージを受信する際に、選択されたウェブサイト（複数可）の目標端末になり得る。リダイレクションのための目標端末の範囲が拡大され、必要性を有するより多くの端末が、適時に有用なメッセージを受信することができる。加えて、互いに結合されるウェブサイトは、それらの事業においてある程度の関連性または類似性を有するので、本開示のリダイレクションプロセスは、目的もなくメッセージを送信せず、システムリソースの浪費を生じさせない。
2014529113.tif 000002
【特許請求の範囲】
【請求項１】
コンピュータが実行可能な命令とともに構成される、１つ以上のプロセッサによって行われる方法であって、
端末によってアクセスされていた１つ以上のウェブサイトの１つ以上の識別情報（ＩＤ）を決定することと、
種々のウェブサイトのＩＤ間の１つ以上の記憶された結合関係に基づいて、前記端末によってアクセスされていた前記１つ以上のウェブサイトの前記１つ以上のＩＤと結合されるＩＤによって表される、別の１つ以上のウェブサイトを決定することと、
前記決定された別の１つ以上のウェブサイトから、少なくとも１つのウェブサイトを選択することと、
を含む、方法。
【請求項２】
前記選択された少なくとも１つのウェブサイトに対応する１つ以上のメッセージを、前記端末に送信することをさらに含む、請求項１に記載の方法。
【請求項３】
前記端末によってアクセスされていた１つ以上のウェブサイトの１つ以上の識別情報（ＩＤ）を前記決定することは、
予め設定された期間内の、前記１つ以上のウェブサイトに関連する前記端末のアクセスデータをファイル内に記憶することと、
前記端末によってアクセスされていた前記１つ以上のウェブサイトの前記１つ以上のＩＤを決定するために、前記ファイルから前記アクセスデータを取り出すことと、を含む、請求項１に記載の方法。
【請求項４】
前記ファイルは、前記端末に記憶されるクッキーであり、
前記アクセスデータは、前記端末が訪問するウェブサイトのＩＤと、
前記ウェブサイトの前記端末のアクセスの開始時間および終了時間、ならびに
前記ウェブサイトにアクセスするときに前記端末によって行われるトランザクションのうちの少なくとも１つと、を含む、請求項３に記載の方法。
【請求項５】
前記端末によってアクセスされていた１つ以上のウェブサイトの１つ以上の識別情報（ＩＤ）を前記決定することは、
前記１つ以上のウェブサイトに関連する前記端末のアクセスデータを定期的に記憶することと、
前記端末によってアクセスされていた前記１つ以上のウェブサイトの前記１つ以上のＩＤを決定するために、前記ファイルから前記アクセスデータを取り出すことと、を含む、請求項１に記載の方法。
【請求項６】
前記端末によってアクセスされていた１つ以上のウェブサイトの１つ以上の識別情報（ＩＤ）を前記決定することは、
前記１つ以上のウェブサイトに関連する前記端末のアクセスデータをリアルタイムで記憶することと、
前記端末によってアクセスされていた前記１つ以上のウェブサイトの前記１つ以上のＩＤを決定するために、前記ファイルから前記アクセスデータを取り出すことと、を含む、請求項１に記載の方法。
【請求項７】
前記種々のウェブサイトのＩＤ間の前記１つ以上の記憶された結合関係を決定することをさらに含む、請求項１に記載の方法。
【請求項８】
前記種々のウェブサイトのＩＤ間の前記１つ以上の記憶された結合関係を前記決定することは、１つ以上の結合要求を開始する１つ以上のウェブサイトのＩＤを、前記１つ以上の結合要求に基づいて、１つ以上の要求されるウェブサイトのＩＤと結合することを含む、請求項７に記載の方法。
【請求項９】
前記端末がアクセスしているウェブサイト、１つ以上の結合要求を開始する前記１つ以上のウェブサイト、および前記１つ以上の要求されるウェブサイトは、相関関係を有する、請求項８に記載の方法。
【請求項１０】
前記種々のウェブサイトのＩＤ間の前記１つ以上の記憶された結合関係を前記決定することは、
前記種々のウェブサイトのコンテンツの関連性を分析することと、
それらの間の前記関連性が閾値を満たす、または超える、２つ以上のウェブサイトを見つけることと、
前記２つ以上のウェブサイト間の前記結合関係を確立することと、
前記結合関係を記憶することと、を含む、請求項７に記載の方法。
【請求項１１】
前記端末によってアクセスされていた前記１つ以上のウェブサイトの前記１つ以上のＩＤと結合されるＩＤによって表される、別の１つ以上のウェブサイトを前記決定することは、
複数の要求されるウェブサイトの記憶されたＩＤに基づいて、前記端末によってアクセスされていた前記１つ以上のウェブサイト内で、要求されるウェブサイトの１つ以上のＩＤを見つけることと、
前記要求されるウェブサイトの前記見つけられた１つ以上のＩＤと結合されるＩＤによって表される、前記１つ以上のウェブサイトの他のものを決定することと、を含む、請求項８に記載の方法。
【請求項１２】
前記要求されるウェブサイトの前記見つけられた１つ以上のＩＤと結合されるＩＤによって表される、前記別の１つ以上のウェブサイトを前記決定することは、
種々のウェブサイト間のID間の前記１つ以上の記憶された結合関係に基づいて、要求されるウェブサイトの前記見つけられた１つ以上のＩＤからのそれぞれのＩＤについて、そのＩＤが前記それぞれのＩＤと結合される、１つ以上の結合要求を開始する、１つ以上のウェブサイトを決定することを含む、請求項１０に記載の方法。
【請求項１３】
そのＩＤが前記それぞれのＩＤと結合される、１つ以上の結合要求を開始する１つ以上のウェブサイトを前記決定することは、
前記結合要求を開始する前記１つ以上のウェブサイトから、前記１つ以上の結合要求を受信することであって、それぞれの結合要求は、要求されるウェブサイトのＩＤを含み、受信することと、
その結合要求が、同じ要求されるウェブサイトのＩＤを搬送する、１つ以上のウェブサイトを見つけることと、
それぞれの要求されるウェブサイトおよび前記１つ以上の見つけられたウェブサイトの前記それぞれのＩＤ間の前記結合関係を確立することと、を含む、請求項１２に記載の方法。
【請求項１４】
前記決定された別の１つ以上のウェブサイトから少なくとも１つのウェブサイトを前記選択することは、前記別の１つ以上のウェブサイトから、最上位優先順位を有するＮ個のウェブサイトを選択することを含み、Ｎは、１以上の整数である、請求項１に記載の方法。
【請求項１５】
前記優先順位は、メッセージの送信に対する前記他の１つ以上のウェブサイトの特権レベルに基づき、前記特権レベルは、優先順位について前記他の１つ以上のウェブサイトの付け値によって決定される、請求項１４に記載の方法。
【請求項１６】
前記優先順位は、情報の送信に対する特権レベル、セキュリティレベル、および訪問量を含む、複数のパラメータの加重和値に基づく、請求項１４に記載の方法。
【請求項１７】
前記複数のパラメータの加重は、情報リダイレクションの要件に基づいて設定される、請求項１６に記載の方法。
【請求項１８】
アクションを行うために前記１つ以上のプロセッサによって実行可能である、コンピュータが実行可能な命令を記憶させる、１つ以上のコンピュータ記憶媒体であって、該アクションは、
端末によってアクセスされていた１つ以上のウェブサイトの１つ以上の識別情報（ＩＤ）を決定することと、
種々のウェブサイトのＩＤ間の１つ以上の記憶された結合関係に基づいて、前記端末によってアクセスされていた前記１つ以上のウェブサイトの前記１つ以上のＩＤと結合されるＩＤによって表される、他の１つ以上のウェブサイトを決定することと、
前記決定された他の１つ以上のウェブサイトから、少なくとも１つのウェブサイトを選択することと、
を含む、１つ以上のコンピュータ記憶媒体。
【請求項１９】
前記アクションはさらに、前記種々のウェブサイトのＩＤ間の前記１つ以上の記憶された結合関係を決定することを含み、前記決定することは、１つ以上の結合要求を開始する１つ以上のウェブサイトのＩＤを、前記１つ以上の結合要求に基づいて、１つ以上の要求されるウェブサイトのＩＤと結合することを含む、請求項１８に記載の１つ以上のコンピュータ記憶媒体。
【請求項２０】
１つ以上のウェブサイトの１つ以上の識別情報（ＩＤ）間の前記結合関係を記憶する、ウェブサイトＩＤライブラリと、
ウェブサイトにアクセスしている端末によってアクセスされていたウェブサイトのＩＤを決定する、ＩＤ決定モジュールと、
前記ウェブサイトＩＤライブラリに記憶される前記結合関係に基づいて、前記端末によってアクセスされていた前記ウェブサイトのＩＤと結合されるＩＤによって表されるウェブサイトを決定する、ウェブサイト決定モジュールと、
前記決定されたウェブサイトから少なくとも１つのウェブサイトを選択する、選択モジュールと、
前記選択モジュールによって選択される前記少なくとも１つのウェブサイトに対応するメッセージを前記端末に送信する、伝送モジュールと、
を備える、装置。
【発明の詳細な説明】
【技術分野】
【０００１】
本開示は、コンピュータ情報技術の分野に関し、より具体的には、情報をリダイレクトするための方法および装置に関する。
【背景技術】
【０００２】
関連出願の相互参照
本出願は、２０１１年７月２１日に出願された中国特許出願第２０１１１０２０５６０７．Ｘ号、名称「Ｍｅｔｈｏｄ  ａｎｄ  Ａｐｐａｒａｔｕｓ  ｆｏｒ  Ｒｅｄｉｒｅｃｔｉｎｇ  Ｉｎｆｏｒｍａｔｉｏｎ」に対する外国優先権を主張するものであり、参照によりその全体が本明細書に組み込まれる。
【０００３】
インターネット技術が成長し続けるにつれて、インターネット関連事業が急速に発展してきた。インターネット関連事業では、ウェブサイトを訪問する端末に情報を意図的に送信するために、ウェブサイトサーバは、メッセージを目標端末に送信するために情報ダイレクション技術を利用し得る。情報ダイレクション技術は、ある端末群を目標端末として使用し、メッセージを目標端末だけに送信する技術を指す。ウェブサイトは、複数のウェブページから成るウェブサイトであり得る。あるいは、ウェブサイトは、大規模なウェブサイトの補助的なウェブサイト、または独立したウェブサイトであり得る。
【０００４】
頻繁に使用される情報ダイレクション技術は、以下の手法を含み得る。
【０００５】
地理的な場所に基づくダイレクション。ウェブサイトサーバは、ウェブサイトを訪問する端末の地理的領域を決定し、指定の地理的領域の中に位置する端末を目標端末に割り当て、そして、目標端末にメッセージを送る。例えば、ウェブサイトサーバは、端末のＩＰアドレスに基づいて端末の地理的領域を決定し、中国の北京に位置する端末を目標端末に指定し、そして、中国の北京で入手可能なある製品に関する広告等のメッセージをこれらの目標端末に送信し得る。
【０００６】
キーワードに基づくダイレクション。ウェブサイトサーバは、ウェブサイトを訪問する端末によって生成されるビジネスデータを分析し、それらのビジネスデータの中の１つ以上のあるキーワードを有する端末を目標端末に割り当て、そして、メッセージを該目標端末に送信する。例えば、キーワードは、「スマートフォン」であり得る。ウェブサイトを訪問するときに、端末が、スマートフォンに関連するウェブページを閲覧および収集する場合、またはオンラインでスマートフォンを購入する場合、そのような端末の生成されたビジネスデータは、「スマートフォン」というキーワードを含む。ウェブサーバは、次いで、そのような端末を目標端末に割り当て、それに応じて、メッセージ、例えばスマートフォンに関連する広告を目標端末に送信する。
【０００７】
人に基づくダイレクション。ウェブサイトサーバは、端末がウェブサイトを訪問したときに、端末によって行われる操作に基づいて端末の関心事を決定し、端末の各タイプが目標端末のタイプとして定義されるように、端末の関心事に従って端末を分類し、それに応じて、メッセージを目標端末のタイプに送信する。例えば、端末が衣服に関連するウェブページを頻繁に閲覧および収集する場合、ウェブサイトサーバは、この端末を、衣服に関心を持つ特定のタイプの目標端末に分類し得、さらに、それに応じて、衣服の広告等の衣服関連のメッセージをこの目標端末に送信し得る。
【０００８】
上の情報ダイレクション技術を使用することに加えて、ウェブサイトサーバはまた、以前に特定のウェブサイトを訪問した端末に、特定のウェブサイトに対応するメッセージを送信するための、情報リダイレクション技術も使用し得る。情報リダイレクション技術は、端末があるウェブサイトを訪問し、該ウェブサイトが独立したウェブサイトである場合、その後に該ウェブサイトを再度訪問するときに、ウェブサイトサーバが、該ウェブサイトに対応するメッセージを端末に送信し得ることを意味する。ウェブサイトが独立したウェブサイトの補助的なウェブサイトである場合、端末が再度訪問したときに、または端末が該独立したウェブサイトの特定のウェブページを訪問したときに、ウェブサイトサーバは、該ウェブサイトに対応するメッセージを端末に送信し得る。ウェブサイトに対応するメッセージは、ウェブサイトによって提供される広告等の情報であり得る。
【０００９】
ウェブサイトサーバが、ウェブサイトに対応するメッセージを端末に送信するために、情報リダイレクション技術を使用するときに、そのようなメッセージを受信する端末が、そのウェブサイトを以前に訪問していて、現在そのウェブサイトを再訪問しているのであれば、端末が該メッセージに関心を持つ可能性が非常に高い。ウェブサイトサーバは、情報リダイレクション技術を使用して、端末が関心を持つメッセージをリアルタイムで送信することによって、端末が訪問する効率を効果的に増加させる。
【００１０】
しかしながら、既存の情報リダイレクション技術は、端末がウェブサイトを以前に訪問していて、現在該ウェブサイトまたは該ウェブサイトの親ウェブサイトの特定のウェブページを再訪問しているときに、ウェブサイトサーバが、ウェブサイトに対応するメッセージを端末に送信することを可能にすることだけしかできない。特定のウェブサイトの場合、ウェブサイトを訪問した端末の数が制限され得、結果的に、ウェブサイトに対応するメッセージを受信することができる端末の数も制限され得る。したがって、メッセージに興味があり得るが、以前にウェブサイトを訪問したことがない端末は、リアルタイムでメッセージを取得することができない。しかしながら、端末の間でいかなる差別化も行われていない場合は、端末が以前に該ウェブサイトを訪問したかどうかに関わらず、端末がウェブサイトまたは該ウェブサイトの親ウェブサイトの特定のウェブページを訪問してさえいれば、該ウェブサイトに対応するメッセージが端末に送信される結果となり、一部の端末は、無用なメッセージを受信し得、ウェブサイトに対応するメッセージを端末に送信するために、ウェブサイトサーバに多くのシステムリソースを消費させ、それによって、多くのシステムリソースを浪費する。
【発明の概要】
【００１１】
本開示は、情報をリダイレクトするための方法、システム、および装置を提供する。現在の手法の下では、一方では、リダイレクションのための目標端末の数が制限され、他方では、端末の差別化を伴わずに情報が送信され、システムリソースの浪費を助長する。
【００１２】
本開示は、情報をリダイレクトするための方法を提供する。ウェブサイトにアクセスしている端末によってアクセスされていたウェブサイトの識別情報（ＩＤ）が決定される。ウェブサイトのＩＤ間の記憶された結合関係に基づいて、端末によってアクセスされていたウェブサイトのＩＤと結合されるＩＤによって表される１つ以上の他のウェブサイトが決定される。決定されたウェブサイトから少なくとも１つのウェブサイトが選択され、対応するメッセージが少なくとも１つのウェブサイトに送信される。
【００１３】
本開示はまた、情報をリダイレクトするための装置も提供する。本装置は、ウェブサイトＩＤライブラリと、ＩＤ決定モジュールと、ウェブサイト決定モジュールと、選択モジュールと、伝送モジュールとを含む。ウェブサイトＩＤライブラリは、ウェブサイトのＩＤ間の結合関係を記憶する。ＩＤ決定モジュールは、ウェブサイトにアクセスしている端末によってアクセスされていた１つ以上のウェブサイトのＩＤを決定する。ウェブサイト決定モジュールは、ウェブサイトＩＤ間の記憶された結合関係に基づいて、端末によって以前にアクセスされたウェブサイトのＩＤと結合されるＩＤによって表されるウェブサイトを決定する。選択モジュールは、決定されたウェブサイトから少なくとも１つのウェブサイトを選択し、伝送モジュールは、対応するメッセージを少なくとも１つのウェブサイトに送信する。
【００１４】
本手法は、ウェブサイトのＩＤ間の結合関係をウェブサイトＩＤライブラリに予め記憶する。端末がウェブサイトを訪問するときに、端末によって訪問されるウェブサイトが結合関係に関連するウェブサイトの１つである場合、端末によって既に訪問されたウェブサイトに既に結合された少なくとも１つのウェブサイトが選択される。端末は、選択されたウェブサイトの目標端末とみなされ得、選択されたウェブサイトの対応するメッセージを受信する。従来の手法と比較して、本手法は、リダイレクションに対する目標端末の範囲を拡大し、より多くの端末が有用な情報を適時に取得することを確実にする。加えて、結合関係を伴うウェブサイトは、事業におけるある関連性または類似性を有するので、本手法によるリダイレクトは、メッセージを端末に盲目的に送信せず、したがって、いかなるシステムリソースの浪費もない。
【図面の簡単な説明】
【００１５】
本開示の実施形態をより良好に例示するために、以下は、実施形態を説明する際に使用される図面の簡単な紹介である。以下の図面は、本開示のいくつかの実施形態に関連しているに過ぎないことは明白である。当業者は、創造的な努力をせずに、本開示の図に従って他の実施形態を案出することができる。
【００１６】
【図１】本開示の第１の例示的な実施形態に従う、結合関係をウェブサイトＩＤライブラリに記憶する例示的な方法のフローチャートを示す図である。
【図２】本開示の第３の例示的な実施形態に従う、情報をリダイレクトするための例示的な方法のフローチャートを示す図である。
【図３】本開示の第４の例示的な実施形態に従う、情報リダイレクションのための例示的な方法のフローチャートを示す図である。
【図４】情報リダイレクションのための、例示的な装置の図である。
【図５】情報リダイレクションのための例示的なシステムアーキテクチャを示す図である。
【発明を実施するための形態】
【００１７】
本開示は、情報リダイレクション手法を改善し、新しい情報リダイレクション手法を提供する。ウェブサイトのＩＤ間の結合関係は、ウェブサイトからの要求またはウェブサイトのコンテンツの分析に基づいて確立され得る。端末がウェブサイトにアクセスするときに、端末がアクセスしていた特定のウェブサイトが、結合関係に関与するウェブサイトの１つである場合、特定のウェブサイトと結合する少なくとも１つの他のウェブサイトが選択され得、選択されたウェブサイトによって提供されるメッセージが端末に送信され得る。
【００１８】
本手法は、任意のウェブサイトからの要求またはウェブサイトのコンテンツの分析に基づいて、ウェブサイトのＩＤと任意の他のウェブサイトのＩＤとの結合関係を確立し、特定のウェブサイトを以前に訪問した端末を、該特定のウェブサイトとの結合関係を有する他のウェブサイトの目標端末として使用し得る。従来の情報リダイレクション手法と比較して、本手法は、リダイレクションに対する目標端末の範囲を拡大し、類似する必要性を有するより多くの端末が有用な情報を受信することを可能にする。加えて、結合関係を伴うウェブサイトは、事業におけるある関連性または類似性を有するので、本手法によるリダイレクトは、メッセージを端末に盲目的に送信せず、したがって、いかなるシステムリソースの浪費もない。
【００１９】
ウェブサイトは、複数のウェブページから成るウェブサイトであり得る。ウェブサイトは、大規模なウェブサイトの補助的なウェブサイト、または独立したウェブサイトであり得る。例えば、大規模なショッピングウェブサイトでは、複数のウェブページから成る販売店が、１つのウェブサイトとみなされ得る。別の例として、独立したショッピングウェブサイトも、１つのウェブサイトとみなされ得る。
【００２０】
ウェブサイトのＩＤは、ウェブサイトのユニフォームリソースロケーター（ＵＲＬ）等の、ウェブサイトの固有の表現であり得る。例えば、結合関係は、以下の方法のうちの１つで確立され得る。第１の例示される方法において、結合要求を開始するウェブサイトのＩＤと、結合要求を受信するウェブサイトのＩＤとの結合関係は、結合要求に基づいて確立され得る。第２の例示される方法において、ウェブサイトのＩＤ間の結合関係は、ウェブサイトのコンテンツの関連性に基づいて確立され得る。
【００２１】
以下の例示される実施形態は、図面を参照することによって説明される。第１の例示される実施形態は、上で説明される第１の例示される方法に基づいて、ウェブサイトのＩＤ間の結合関係をどのように確立するのかを示す。
【００２２】
情報がリダイレクトされる前に、第１のウェブサイトの要求に基づいて、要求を開始する第１のウェブサイトのＩＤと、要求を受信する第２のウェブサイトのＩＤとの結合関係が確立され得る。例えば、結合関係は、第１のウェブサイトの要求に基づいて、第１のウェブサイトのＩＤと、その中の特定のウェブサイトに関心が持たれる他のウェブサイトのＩＤとの間で予め確立され得る。図１は、本開示の第１の例示される実施形態に従って結合関係をウェブサイトＩＤライブラリに記憶する、例示的な方法のフローチャートを図示する。
【００２３】
１０２で、１つ以上のウェブサイトからの結合要求が受信される。結合要求のそれぞれは、要求されるウェブサイトのＩＤを含む。結合要求を送信するウェブサイトは、要求を開始するウェブサイトである。要求に含まれるＩＤによって表されるウェブサイトは、要求されるウェブサイトである。
【００２４】
種々のウェブサイトの事業活動は、ある程度類似または関連し得るので、要求を開始する第１のウェブサイトと、要求される第２のウェブサイトとの間で結合関係が確立された後には、要求されるウェブサイトを以前に訪問していた端末はまた、要求を開始したウェブサイトによって提供される情報にも関心を持ち得る。このため、端末は、要求を開始したウェブサイトの目標端末のうちの１つになり得る。したがって、要求を開始したウェブサイトの目標端末は、増加する。
【００２５】
例えば、２つの独立したビデオウェブサイト（ウェブサイト１およびウェブサイト２）があり得、この場合どちらのウェブサイトの事業も、オンライン映画観賞であり得る。ウェブサイト１の管理人は、情報リダイレクションまたは独立したサーバのための装置で、情報入力インターフェースを介して、結合要求を提出し得、結合要求は、ウェブサイト２のＩＤを含み得、ウェブサイト１がウェブサイト２との結合関係を、それらのＩＤに基づいて確立するよう要求することを示す。
【００２６】
別の例として、同じショッピングウェブサイトで開かれる２つの商店（ウェブサイトａおよびウェブサイトｂ）があり得、この場合２つのウェブサイトの事業はどちらも、携帯電話を発表および販売するものであり得る。ウェブサイトａの販売者は、情報リダイレクションまたは独立したサーバのための装置で、情報入力インターフェースを通して、結合要求を提出し得、要求は、ウェブサイトｂのＩＤを含み得、ウェブサイトａがウェブサイトｂとの結合関係を、それらのＩＤに基づいて確立することを望むことを示す。
【００２７】
本明細書の任意のウェブサイトは、要求を開始するウェブサイトおよび要求されるウェブサイトの双方として作用し得る。
【００２８】
１０４で、要求されるウェブサイトの同じＩＤを含む結合要求を開始するウェブサイトが決定される。例えば、要求を開始するウェブサイト、および同じＩＤを含む結合要求を提出するウェブサイトとして作用する、複数のウェブサイトがあり得る。換言すれば、複数のウェブサイトが、同じ要求されるウェブサイトとの結合関係を確立することを意図する。したがって、同じＩＤを含む要求を送信するウェブサイトは、さらなる操作のためにひとまとめにされ得る。
【００２９】
１０６で、要求を開始するウェブサイトのＩＤと、要求されるウェブサイトのＩＤとの間で結合関係が確立され、結合関係が、ウェブサイトＩＤライブラリに記憶される。複数のウェブサイトが、結合要求を同じ要求されるウェブサイトに送信するときに、多対１の結合関係が、要求を開始する複数のウェブサイトおよび要求されるウェブサイトのＩＤ間に確立され得る。
【００３０】
例えば、同じショッピングウェブサイトに３つの商店（それぞれ、ウェブサイトｄ、ｅ、およびｆ）があり得、３つの商店の事業は、携帯電話を発表および販売するものであり得る。ウェブサイトｄおよびウェブサイトｅはそれぞれ、ウェブサイトｆのＩＤを含む結合要求を提出し得る。結合関係は、ウェブサイトｄおよびウェブサイトｆ、ならびにウェブサイトｄおよびウェブサイトｆのＩＤ間に別々に確立され得るが、これは、結合関係が、要求を開始する２つのウェブサイトと、１つの要求されるウェブサイトとの間に確立され得る。確立した結合関係は、ウェブサイトＩＤライブラリに記憶され得る。表１は、ウェブサイトＩＤライブラリに記憶される結合関係の一例を示す。
【００３１】
【表１】
2014529113.tif 000003
【００３２】
表１は、要求されるウェブサイトのＩＤと、要求されるウェブサイトのＩＤとの結合の要求を開始するウェブサイトとのＩＤに基づく、結合関係を示す。換言すれば、表１は、多対１の結合関係を直観的に示す。
【００３３】
表１に加えて、結合関係を記憶するために、いくつかの他の形態の表を使用し得る。表２は、結合関係を記憶する、別の例示的なテーブルを示す。表２は、要求を開始するウェブサイトのＩＤと、要求されるウェブサイトのＩＤとの間の１対１の対応関係を直観的に示す。
【００３４】
【表２】
2014529113.tif 000004
【００３５】
表１および表２の例は、１つの要求が１つのＩＤを含むという条件に基づいて示される。他の例では、１つの特定のウェブサイトが、複数の要求されるウェブサイトとの結合関係を確立することを要求し得る。換言すれば、特定のウェブサイトが、複数の結合要求を開始する。したがって、本実施形態はまた、要求を模倣するウェブサイトのＩＤに基づいて、表を使用して、複数の要求されるウェブサイトとの結合関係も表し、これは、１対多の結合関係を直接的に表す。
【００３６】
例えば、ショッピングウェブサイトに３つの商店（ウェブサイトｇ、ｈ、およびｉ）があり得、ウェブサイトｇが、ウェブサイトｈのＩＤおよびウェブサイトｉのＩＤを含む別々の結合要求を提出していた場合がある。ウェブサイトｇのＩＤと、ウェブサイトｈおよびウェブサイトｉのＩＤとの別々の結合関係が確立され得、これは、要求を開始する単一のウェブサイトが、２つの要求されるウェブサイトのＩＤと結合され得ることを意味する。結合関係は、下に示すような表３で示され得る。
【００３７】
【表３】
2014529113.tif 000005
【００３８】
表１、表２、および表３は、結合関係を表す際に異なる形態を取るが、結合関係の本質が示される。本実施形態は、結合関係を示すために、任意の特定の形態を使用することに限定されない。
【００３９】
第２の例示的な実施形態は、上で説明した第２の例示される方法に従って、ウェブサイトのＩＤ間の結合関係をどのように確立するのかを示す。ウェブサイトのコンテンツは、前もって検出され、相互に比較され得る。そのコンテンツが予め設定された関連性要件を満たすウェブサイトが選択され得、選択されたウェブサイトのＩＤ間の結合関係が確立され、そして、ウェブサイトＩＤライブラリに記憶され得る。
【００４０】
例えば、同じショッピングウェブサイトに２つの商店（ウェブサイトｊおよびウェブサイトｋ）があり得、ウェブサイトｊおよびウェブサイトｋの事業はどちらも、携帯電話を発表および販売するものであり得る。ウェブサイトｊのコンテンツは、ウェブサイトｊによって発行されるウェブページのコンテンツであり得る。ウェブサイトｊおよびウェブサイトｋのコンテンツの関連性は、ウェブサイトｊとウェブサイトｋとの間のコンテンツの関連度を決定するために比較され得る。コンテンツの関連度の閾値は、予め設定され得る。ウェブサイトｊとウェブサイトｋとの間の内容関連度が閾値に到達するか、またはウェブサイトｊとウェブサイトｋとの間の内容関連性が所定の要件に達していれば、それによって、ウェブサイトｊおよびウェブサイトｋのＩＤ間の結合関係が確立され得る。そうでない場合、ウェブサイトｊとウェブサイトｋとの間の結合関係は、確立され得ない。
【００４１】
第１の例示される実施形態および第２の例示される実施形態にあるような方法によって、種々のウェブサイトのＩＤ間の結合関係が確立された後に、第３の例示される実施形態は、確立された結合関係に基づいて、情報リダイレクションを実現し得る。図２は、本開示の第３の例示される実施形態に従って情報をリダイレクトするための、例示的な方法のフローチャートを示す。
【００４２】
２０２で、ウェブサイトにアクセスしている端末によってアクセスされていたウェブサイトのＩＤが決定される。端末は、インターネットまたは無線ネットワーク等のネットワークを介してウェブサイトにアクセスする、任意の端末であり得る。端末の例としては、パーソナルコンピュータ（ＰＣ）またはスマートフォンが挙げられ得る。端末がネットワークを通してウェブサイトにアクセスすると、サーバは、端末のアクセスデータを記録し、それをファイルに保存し得る。ファイルは、例えば、端末に記憶される１つ以上のクッキーであり得る。アクセスデータとしては、例えば、端末が訪問したウェブサイトのＩＤ、端末のウェブサイトのアクセスの開始時間および終了時間、ウェブサイトにアクセスするときに端末によって行われるトランザクション、操作、または売買、および端末のウェブサイトのアクセスに関連する他のデータが挙げられ得る。
【００４３】
端末がウェブアクセス操作を行っているときに、サーバは、端末によってアクセスされているウェブサイトのＩＤを決定するために、以下の例示される方法を使用し得るが、それらに限定されない。
【００４４】
第１の例示される方法は、端末がウェブサイトに直接アクセスしているときに、ウェブサイトのＩＤを記録することを含む。第２の例示される方法は、端末が検索エンジンによって提供されるリンクを通してウェブサイトにアクセスしているときに、ウェブサイトのＩＤを記録することを含む。第３の例示される方法は、端末が端末によって閲覧されるウェブページに埋め込まれたリンクを通してウェブサイトにアクセスしているときに、ウェブサイトのＩＤを記録することを含む。
【００４５】
端末のアクセスデータは、例えば以下の例示される方法を使用することによって、クッキーに完全に、または部分的に記憶され得る。
【００４６】
第１の例示される記憶方法は、予め設定された期間内の端末のアクセスデータを記録し、それらを端末のクッキーに記憶するものである。クッキーに記憶されるアクセスデータは、予め設定された期間中に、端末が１つ以上のウェブサイトでアクセス操作を行うときに生成されるデータである。例えば、予め設定された期間が、２０１１年５月１日から２０１１年５月３０日までである場合、その期間中に生成される端末のアクセスデータが、端末のクッキーに記憶され得る。２０２での操作が行われると、期間中に生成された端末のアクセスデータが、クッキーから取り出されて、端末がアクセスしていた１つ以上のウェブサイトのＩＤを決定し得る。
【００４７】
第２の例示される記憶方法は、端末のアクセスデータを定期的に記録し、それを端末のクッキーに記憶することを含む。端末が１つ以上のウェブサイトにアクセスする各サイクル期間中のアクセスデータが記憶され得る。例えば、サイクル期間は、１ヶ月に設定され得、２０１１年１月、２０１１年２月等に生成されたアクセスデータが定期的に記録され得る。２０２での操作が行われると、現在時刻に近い１つ以上のサイクル期間中に生成された端末のアクセスデータがクッキーから取り出されて、端末がアクセスしていた１つ以上のウェブサイトのＩＤを決定し得る。
【００４８】
第３の例示される記憶方法は、端末のクッキーにアクセスデータをリアルタイムで記憶することを含む。端末がウェブサイトにアクセスしているときに生成されるアクセスデータは、リアルタイムで記録される。２０２での操作が行われると、現在時刻の前に生成された端末のアクセスデータがクッキーから取り出されて、端末がアクセスしていたウェブサイトのＩＤを決定し得る。
【００４９】
例示される記憶方法のいずれかは、結合関係が確立される前に予め設定され得る。例えば、ウェブサイトが結合要求を開始する前に、結合要求を開始するウェブサイトは、既にデフォルトの記憶方法を知り得、デフォルトの記憶方法を認識した後に結合要求を送信し得る。
【００５０】
２０４で、ウェブサイトのＩＤ間の記憶された結合関係に基づいて、端末によってアクセスされていたウェブサイトのＩＤと結合されるＩＤによって表される、１つ以上のウェブサイトが決定される。端末によってアクセスされていたウェブサイトのＩＤと結合されるＩＤによって表されるウェブサイトは、第１の例示される実施形態の方法、または第２の例示される実施形態の方法を使用することによって決定され得る。
【００５１】
２０６で、端末によってアクセスされていたウェブサイトのＩＤと結合されるＩＤによって表されるウェブサイトから、少なくとも１つのウェブサイトが選択される。２０８で、選択されたウェブサイトに対応するメッセージが端末に送信される。
【００５２】
第４の例示される実施形態は、第１の例示される実施形態の方法に基づく、第３の例示される実施形態の詳細な説明である。図３は、本開示の第４の例示される実施形態に従う情報リダイレクションのための、例示される方法のフローチャートを示す。
【００５３】
３０２で、ウェブサイトにアクセスしている端末によってアクセスされていたウェブサイトのＩＤが決定される。任意の方法によって、２０２で、端末によってアクセスされていたウェブサイトのＩＤが決定された後に、端末によってアクセスされていたウェブサイトの中の要求されるウェブサイトのＩＤが、ウェブサイトＩＤライブラリに記憶された、要求されるウェブサイトのＩＤに基づいて決定され得る。
【００５４】
例えば、端末によってアクセスされていたウェブサイトのＩＤは、ウェブサイト１のＩＤ、ウェブサイト２のＩＤ、およびウェブサイト３のＩＤであり得、ここで、ウェブサイト１およびウェブサイト２は、要求されるウェブサイトである。よって、端末によってアクセスされていた要求されるウェブサイトのＩＤは、ウェブサイト１およびウェブサイト２のＩＤである。
【００５５】
３０４で、端末がアクセスしていた要求されるウェブサイトの各ＩＤについて、要求されるウェブサイトのＩＤと結合される、要求を開始するウェブサイトのＩＤが決定される。
【００５６】
例えば、３０２で、端末によってアクセスされていた要求されるウェブサイトのＩＤが、ウェブサイト１およびウェブサイト２であり得ると判断された場合、ウェブサイト１のＩＤと結合される、結合要求を開始する１つ以上のウェブサイトのＩＤ（ウェブサイト１＿１のＩＤと仮定する）、およびウェブサイト２のＩＤと結合される、結合要求を開始する１つ以上のウェブサイトのＩＤ（ウェブサイト２＿１、ウェブサイト２＿２、およびウェブサイト２＿３のＩＤと仮定する）をそれぞれ決定するために、ウェブサイトＩＤライブラリに記憶された結合関係が検索され得る。
【００５７】
３０６で、ウェブサイトの中で最上位優先順位を有し、要求されるウェブサイトのＩＤと結合される結合要求を開始する、Ｎ個（Ｎは１以上の整数）のウェブサイトのＩＤが選択される。Ｎ＝１のときには、最高優先順位を有するウェブサイトを表す。
【００５８】
要求されるウェブサイトのＩＤが、１つの要求を開始するウェブサイトのＩＤとだけ結合され、よって、要求されるウェブサイト１のＩＤが、要求を開始するウェブサイト１＿１のＩＤとだけ結合され得る場合、要求を開始するウェブサイト１＿１だけが、要求されるウェブサイト１に対応する最高優先順位を有するウェブサイトであり得る。
【００５９】
要求されるウェブサイトのＩＤが、要求を開始する複数のウェブサイトのＩＤと結合され、よって、要求されるウェブサイト２のＩＤが、要求を開始するウェブサイト２＿１、ウェブサイト２＿２、および２＿３のＩＤと結合され得る場合、最高優先順位を有する１つのウェブサイトが、要求を開始するウェブサイト、すなわち、ウェブサイト２＿１、ウェブサイト２＿２、およびウェブサイト２＿３から選択され得る。
【００６０】
例えば、優先順位は、ウェブサイトによる情報の送信に対する特権レベルに基づき得る。情報の送信に対する特権レベルが高くなるほど、優先順位が高くなる。
【００６１】
情報の送信に対する特権レベルは、ウェブサイトが要求を開始するときに決定され得る。例えば、ウェブサイトは、それらが要求を開始するときに、優先順位に対するそれらの付け値によって順位付けされ得る。特定のウェブサイトによって行われる付け値が高くなるほど、特定のウェブサイトの優先順位が高くなる。
【００６２】
いくつかの他の例では、情報の送信に対する特権レベルに加えて、随意に、本手法はまた、ウェブサイトの優先度を決定するために、情報の送信に対する特権レベル、セキュリティレベル、訪問量等のパラメータの加重和値も使用し得る。加重和値が大きくなるほど、優先度が高くなる。
【００６３】
セキュリティレベルは、ウェブサイトのセキュリティ状態に基づいて決定され得る。例えば、独立したショッピングウェブサイトのセキュリティレベルは、独立したショッピングウェブサイト内の商店のセキュリティレベルより高くなり得る。２つのウェブサイトがどちらもショッピングウェブサイトの商店であるとき、より高い評価およびより長い登録時間を有する一方のウェブサイトには、より高いセキュリティレベルが設定される一方で、より低い評価およびより短い登録時間を有するもう一方のウェブサイトには、より低いセキュリティレベルが設定され得る。
【００６４】
訪問量は、特定のウェブサイトがある期間中に１つ以上の端末によってアクセスされた回数を指す。ウェブサイトがより多くアクセスされるほど、訪問量が多くなり得る。
【００６５】
情報の送信に対する特権レベル、セキュリティレベル、訪問量等の種々のパラメータが決定された後に、該パラメータのそれぞれに加重が割り当てられ得、各ウェブサイトの優先順位の総合的な評価を生成するために、パラメータの加重和値が算出され得る。各パラメータに割り当てられる加重は、異なるリダイレクション事業の必要性に基づいて設定され得る。例えば、情報リダイレクション操作が、ウェブサイトセキュリティに関して高い期待を有する場合、より高い加重がセキュリティレベルに割り当てられ得、情報リダイレクション操作が、収益に関して高い期待を有する場合、より高い加重がメッセージの送信に対する特権レベルに割り当てられ得る。本手法は、ウェブサイトの優先順位を決定する際に上のパラメータを使用し得るが、それらに限定されない。ウェブサイトの状態を表す他のパラメータも、同様にウェブサイトの優先順位を決定するために使用され得る。
【００６６】
３０８で、最上位優先順位を有する選択されたＮ個のウェブサイトに対応するメッセージが、端末に送信される。
【００６７】
例えば、Ｎ＝１のときに、３０２で、端末がアクセスしていた要求されるウェブサイトのＩＤの数が１個だけであったと判定された場合、要求されるウェブサイトのＩＤと結合された、要求を開始するウェブサイトのＩＤの数に関係なく、３０６で、要求を開始するウェブサイトから、最高優先順位を有するウェブサイトだけが選択され得、そのウェブサイトに対応するメッセージが端末に送信されて、リダイレクション操作を実現する。
【００６８】
別の例において、Ｎ＝１のとき、３０２で、端末がアクセスしていた要求されるウェブサイトのＩＤの数が、Ｍ個であると判定され、Ｍが、２、３、４等の１を超える任意の整数である場合、３０６で、要求を開始するウェブサイトから、最高順位を有するウェブサイトが、要求されるウェブサイトのそれぞれについて決定され得る。すなわち、最上位優先順位を有するＭ個のウェブサイトが選択される。次いで、このＭ個のウェブサイトから、最高優先順位を有するウェブサイトが選択される。最高優先順位を有するウェブサイトに対応するメッセージが、端末に送信される。
【００６９】
第２の例示される実施形態に基づく情報リダイレクションのための方法は、第４の例示的な実施形態で説明される方法と類似している。簡潔にするために、本明細書ではいかなる詳細な説明も提供されない。
【００７０】
第１の例示される実施形態から第４の例示される実施形態で示されるような本手法は、種々のウェブサイトについて可能性のある目標端末を調査し、よって、各ウェブサイトの目標端末の範囲が拡大され得る。いくつかの端末は、特定のウェブサイトにアクセスしていなかった場合があるが、これらの端末が、該特定のウェブサイトのコンテンツに関連する他のウェブサイトにアクセスしていた場合、ウェブサイト間の関連性または類似性のため、端末は、該端末によってアクセスされていた他のウェブサイトと結合される特定のウェブサイトからのメッセージに関心を持ち得る。端末は、該端末がアクセスしていたそのようなウェブサイトからのメッセージに既に関心を示している。端末が目標端末になった後に、該端末は、ウェブサイトによって提供されるメッセージを受信し得る。
【００７１】
例えば、第１の例示される実施形態に従って結合関係が確立された後に、端末が、要求されるウェブサイトに既にアクセスしていた場合、要求されるウェブサイトと結合される、要求を開始するウェブサイトは、広告、製品、または割引情報等のメッセージを端末に送信することが可能になり得る。一方では、端末は、要求を開始するウェブサイトから有用な情報を適時に受信し得、他方では、要求を開始するウェブサイトおよび要求されるウェブサイトの事業にはある関連性または類似性があるので、メッセージがあらゆる端末に盲目的に送信されない。むしろ、メッセージは、要求されるウェブサイトにアクセスしていた端末に送信され、これは、メッセージがあらゆる端末に盲目的に送信されることによって生じる、システムリソースの浪費を低減し得る。
【００７２】
本開示の第５の例示される実施形態は、情報リダイレクションのための装置を提供する。図４は、例示的な装置４００の図を示す。装置４００は、１つ以上のプロセッサ４０２と、メモリ４０４とを含み得るが、それられに限定されない。メモリ４０４は、ランダムアクセスメモリ（ＲＡＭ）等の揮発性メモリ、および／またはリードオンリーメモリ（ＲＯＭ）もしくはフラッシュＲＡＭ等の不揮発性メモリの形態の、コンピュータ記憶媒体を含み得る。メモリ４０４は、コンピュータ記憶媒体の一例である。
【００７３】
コンピュータ記憶媒体は、コンピュータが実行可能な命令、データ構造、プログラムモジュール、またはその他のデータ等の情報を記憶するために、任意の方法、または技術で実装される、揮発性、および不揮発性、着脱可能、および固定媒体を含む。コンピュータ記憶媒体の例は、相変化メモリ（ＰＲＡＭ）、スタティックランダムアクセスメモリ（ＳＲＡＭ）、ダイナミックランダムアクセスメモリ（ＤＲＡＭ）、他の種類のランダムアクセスメモリ（ＲＡＭ）、読み出し専用メモリ（ＲＯＭ）、電気的消去可能プログラム可能読み出し専用メモリ（ＥＥＰＲＯＭ）、フラッシュメモリ、もしくは他のメモリ技術、コンパクトディスク読み出し専用メモリ（ＣＤ−ＲＯＭ）、デジタル多用途ディスク（ＤＶＤ）、もしくは他の光記憶装置、磁気カセット、磁気テープ、磁気ディスク記憶装置、もしくは他の磁気記憶装置、または演算処理装置によるアクセスのための情報を記憶することに使用できる任意の他の非伝送媒体を含むが、これらに限定されない。本明細書において定義されている様に、コンピュータ記憶媒体は変調データ信号、および搬送波等の一過性の媒体を含まない。
【００７４】
メモリ４０４は、プログラムユニットまたはモジュール、およびプログラムデータをその中に記憶し得る。一実施形態において、モジュールは、ウェブサイトＩＤライブラリ４０６と、ＩＤ決定モジュール４０８と、ウェブサイト決定モジュール４１０と、選択モジュール４１２と、伝送モジュール４１４とを含み得る。したがって、これらのモジュールは、１つ以上のプロセッサ４０２によって実行することができる、コンピュータが実行可能な命令の形態で実現され得る。他の実施形態において、モジュールは、ファームウェア、ハードウェア、ソフトウェア、またはそれらの組み合わせで実現され得る。
【００７５】
ウェブサイトＩＤライブラリ４０６は、ウェブサイトＩＤ間の結合関係を記憶する。ＩＤ決定モジュール４０８は、ウェブサイトのアクセス操作を行っている端末によってアクセスされていたウェブサイトのＩＤを決定する。ウェブサイト決定モジュール４１０は、ウェブサイトＩＤライブラリ４０６に記憶された結合関係に基づいて、端末によってアクセスされていたウェブサイトのＩＤと結合されるＩＤによって表されるウェブサイトを決定する。選択モジュール４１２は、決定されたウェブサイトから、少なくとも１つのウェブサイトを選択する。伝送モジュール４１４は、選択モジュール４１２によって選択される少なくとも１つのウェブサイトに対応するメッセージを端末に送信する。
【００７６】
一例において、ＩＤ決定モジュール４０８は、予め設定された期間内に生成された端末のアクセスデータを端末のクッキーに記憶し得るか、アクセスデータを端末のクッキーに定期的に記憶し得るか、またはアクセスデータを端末のクッキーにリアルタイムで記憶し得る。端末によってアクセスされていたウェブサイトのＩＤは、上の方法のいずれかで得られる、クッキーに記憶されたアクセスデータを読み出すことによって決定され得る。
【００７７】
別の実施形態において、モジュールはさらに、関係確立モジュール４１６を含み得る。関係確立モジュール４１６は、種々のウェブサイトからの結合要求に基づいて、要求を開始するウェブサイトのＩＤと、要求されるウェブサイトのＩＤとの間の結合関係を確立する。あるいは、関係確立モジュール４１６は、種々のウェブサイトのコンテンツの関連性に基づいて、予め設定された関連性閾値の要件を満たすウェブサイトのＩＤ間の結合関係を確立し得る。
【００７８】
ウェブサイトが結合関係を確立することを自発的に要求すると、関係確立モジュール４１６は、種々のウェブサイトから結合要求を受信し得る。結合要求は、要求されるウェブサイトのＩＤを搬送する。関係確立モジュール４１６は、要求されるウェブサイトの同じＩＤを含む、要求を開始するウェブサイトを決定し、決定された要求を開始するウェブサイトのＩＤと、要求されるウェブサイトのＩＤとの間の結合関係を確立し得る。
【００７９】
別の例において、ＩＤ特定モジュール４０８は、要求されるウェブサイトの記憶されたＩＤに基づいて、要求されるウェブサイトのＩＤの中の、端末によってアクセスされていた要求されるウェブサイトのＩＤを決定し得る。ウェブサイト決定モジュール４１０は、種々のウェブサイトのＩＤ間の記憶された結合関係に基づいて、端末によってアクセスされていた各要求されるウェブサイトのＩＤと結合されるＩＤによって表される、要求を開始するウェブサイトを決定し得る。
【００８０】
選択モジュール４１２は、決定されたウェブサイトから最高優先順位を有するＮ個のウェブサイトを選択し得、ここで、Ｎは、１以上の任意の整数である。例えば、選択モジュール４１２は、メッセージの送信に対する特権レベルに基づいて、メッセージの送信に対する最上位Ｎ個の特権レベルを有する、要求を開始するＮ個のウェブサイトを選択し得る。メッセージの送信に対する特権レベルに加えて、選択モジュール４１２はまた、種々のウェブサイトの優先順位を決定するために、セキュリティレベル、訪問量等が挙げられるが、これらに限定されない、パラメータの加重和値も使用し得る。
【００８１】
第５の例示される実施形態の装置は、第１の例示される実施形態から第４の例示される実施形態の操作および機能を実現するために、種々のモジュールが組み込まれ得る。簡潔にするために、詳細は本明細書で説明されない。
【００８２】
図５は、ウェブサイトが結合関係を確立するために要求を開始するときに、情報リダイレクションを行うために第５の例示される実施形態の装置を使用する、例示的なシステムアーキテクチャの図を示す。図５の実施例において、端末５０２によってアクセスされているウェブサイト５０４、結合要求を開始するウェブサイト５０６、および要求されるウェブサイト５０８は、情報リダイレクションのための装置５１０によって相関され得る。すなわち、端末５０２によってアクセスされているウェブサイト５０４、結合要求を開始するウェブサイト５０６、および要求されるウェブサイト５０８は、相関関係を有するウェブサイトである。例えば、相関関係５１２は、同じ親ウェブサイトの補助的なウェブサイトであるウェブサイト等（情報リダイレクションのための装置５１０が位置するウェブサイト等）を指し得、または同じ情報リダイレクションのための装置５１０に登録されたウェブサイトである。装置５１０は、要求を開始するウェブサイト５０６に対応するメッセージ５１４を送信し得る。
【００８３】
いくつかの例において、端末５０２によってアクセスされているウェブサイト５０４は、要求されるウェブサイトのうちの１つ、または要求を開始したウェブサイトのうちの１つであり得る。あるいは、端末５０２によってアクセスされているウェブサイト５０４は、要求されるウェブサイトおよび／または要求を開始したウェブサイトのうちの少なくとも１つが補助的なウェブサイトである、親ウェブサイトの特定のウェブページに対応するウェブサイトであり得る。あるいは、端末５０２によってアクセスされているウェブサイト５０４は、情報リダイレクションのための装置５１０が位置し、要求されるウェブサイトおよび／または要求を開始するウェブサイトのうちの少なくとも１つが装置５１０に登録される、ウェブサイトの特定のウェブページに対応するウェブサイトであり得る。
【００８４】
例えば、要求を開始するウェブサイトおよび要求されるウェブサイトは、インターネット広告ウェブサイトの補助物または関連するウェブサイトであり、情報リダイレクションのための装置はまた、インターネット広告ウェブサイトの中にも統合される。端末がインターネット広告ウェブサイトの任意のウェブサイトにアクセスしたときに、情報リダイレクションのための装置は、本開示で説明される任意の手法を行い得る。
【００８５】
端末は、ウェブサイトに頻繁にアクセスし得、また、種々のタイプのコンテンツを含むネットワークには膨大な数のウェブサイトがあるので、端末が任意のウェブサイトにアクセスするときに本開示の方法が実行される場合、多くのシステムリソースが浪費される。本開示の情報リダイレクションの目的は、メッセージを目的もなく送信することなく、有用なメッセージを端末に提供することであり、したがって、本開示の方法は、端末が、要求を開始するウェブサイトまたは要求されるウェブサイトに相関されるウェブサイトにアクセスしているときに実行され、システムリソースの浪費を効率的に低減させ得る。
【００８６】
当業者は、本開示の実施形態が、方法、システム、またはコンピュータプログラミング製品であり得ることを理解すべきである。したがって、本開示は、ハードウェア、ソフトウェア、または両者の組み合わせによって実装され得る。さらに、本開示は、コンピュータが実行可能な記憶媒体（ディスク、ＣＤ−ＲＯＭ、光ディスク等を含むが、これらに限定されない）に実装され得る、コンピュータが実行可能なコードを含む１つ以上のコンピュータプログラムの形式であってもよい。
【００８７】
本開示は、本開示の実施形態の方法、装置（システム）、およびコンピュータプログラムのフローチャート、および／またはブロック図を参照して説明される。フローチャートおよび／またはブロック図の、各フローおよび／またはブロック、ならびにフローおよび／またはブロックの組み合わせは、コンピュータプログラム命令によって実装され得ることを理解されたい。コンピュータ、または他のプログラム可能なデータプロセッサによって動作される命令を通して、フローチャートの１つ以上のフロー、および／またはブロック図の１つ以上のブロックを実装している装置が生成され得るように、これらのコンピュータプログラム命令は、マシンを生成するために、一般的なコンピュータ、特定のコンピュータ、内蔵プロセッサ、または他のプログラム可能なデータプロセッサに提供されることができる。
【００８８】
これらのコンピュータプログラム命令は、コンピュータ読み取り可能記憶装置内に記憶された命令が、フローチャートの１つ以上のフローおよび／またはブロック図の１つ以上のブロックに特定される機能を実装する命令装置を含む製品を生成するように、コンピュータ、または他のプログラム可能なデータプロセッサに、ある一定の動作をするよう命令することができる他のコンピュータ読み取り可能記憶装置に記憶されることもできる。
【００８９】
コンピュータ、または他のプログラム可能なデータプロセッサが、コンピュータによって実装されるプロセスを生成するための一連の動作ステップを実行し得るように、これらのコンピュータプログラム命令はまた、コンピュータ、または他のプログラム可能なデータプロセッサに読み込まれることができる。これにより、コンピュータ、または他のプログラム可能なデータプロセッサで実行される命令は、フローチャートの１つ以上のフローおよび／またはブロック図の１つ以上のブロックに特定される機能を実装するステップを提供し得る。
【００９０】
これらの実施形態は、本開示を説明するに過ぎず、本開示の範囲を限定するものではない。当業者には、本開示の原則から逸脱することなく、若干の変更、および改良が行われてもよく、また本開示の範囲内にあると見なされるべきであることを理解されたい。
【００９１】
例示的な実施形態の上の説明は、当業者が、例示的な実施形態を実現または使用することを可能にする。しかしながら、本開示は、例示される実施形態に限定されず、本文書で開示される原則および特徴の最も広い範囲に合致するあらゆる手法を保護するものとする。
【図１】
2014529113.tif 000006
【図２】
2014529113.tif 000007
【図３】
2014529113.tif 000008
【図４】
2014529113.tif 000009
【図５】
2014529113.tif 000010
【国際調査報告】
2014529113.tif 000011
2014529113.tif 000012